(57)【特許請求の範囲】
【請求項１】
装置本体から第１方向に排出されるシートを支持する第１支持面を有する第１トレイと、
シートを支持する第２支持面を有し、当該第２支持面の少なくとも一部が上記第１支持面の下方に位置する状態で上記第１支持面と重畳する第１位置、及び当該第１位置よりも上記第１方向に位置しており、当該第２支持面の上記第１支持面に対する重畳面積が当該第１位置よりも小さい第２位置に、上記第１方向に沿って移動可能に上記第１トレイに支持された第２トレイと、
上記第２トレイに回動可能に支持されており、回動先端が回動軸よりも上記第１方向の上流に位置する第１回動位置、及び当該回動先端が当該回動軸よりも上記第１方向の下流に位置しており且つ上記第２トレイから上記第１方向へ突出する第２回動位置に回動する第３トレイと、を備え、
上記第３トレイは、上記第１回動位置において上記第２支持面と協働してシートを支持する第３支持面と、当該第３支持面の裏面であり上記第２回動位置において上記第２支持面と協働してシートを支持する第４支持面と、を備え、
上記第３支持面には、上記第３トレイが上記第１回動位置に位置する状態において、上記第１支持面よりも上方へ突出した凸部が設けられており、
上記第３トレイは、上記第２トレイが上記第１位置に位置する状態において、上記凸部を除く少なくとも一部が上記第１支持面の下方に位置する状態で上記第１支持面と重畳しており、上記第２トレイが上記第２位置に位置する状態において、上記第１支持面と重畳しておらず、
上記第４支持面は、上記第３トレイにおける上記第３支持面の裏側の面から突出し且つシートの排出方向に沿って延びておりシートを案内するリブによって構成されており、
上記リブの上記裏側の面からの突出量は、上記裏側の面から突出するもののうちで最大であるシートトレイ。
【請求項２】
上記凸部は、上記第２トレイを移動させるために把持される把持部を備え、
上記把持部は、上記第３トレイが上記第１回動位置に位置する状態において、上記第３トレイの回動軸よりも上方に設けられている請求項１に記載のシートトレイ。
【請求項３】
上記凸部は、外部からアクセス可能な内部空間を有しており、
上記把持部は、上記内部空間を規定する面である請求項２に記載のシートトレイ。
【請求項４】
上記第１方向と直交し且つ上記第４支持面に沿った第２方向において、上記第４支持面の中央部は、上記第４支持面の両端部よりも凹んでいる請求項１から３の何れかに記載のシートトレイ。
【請求項５】
上記第４支持面は、上記第３トレイが上記第２回動位置に位置する状態において、上記第３トレイの上記回動先端が上記第３トレイの回動基端よりも上方となるように上記第２支持面に対して傾斜している請求項１から４の何れかに記載のシートトレイ。
【請求項６】
上記第２支持面には、第１凹部が形成されており、
上記第１回動位置の上記第３トレイは、上記第１凹部に収容される請求項１から５のいずれかに記載のシートトレイ。
【請求項７】
上記第１トレイは、上記第１方向の下流端から上記第１方向と逆方向に凹んだ第２凹部を備え、
上記凸部は、上記第２トレイが上記第１位置に位置し且つ上記第３トレイが上記第１回動位置に位置する状態において、上記第２凹部に位置する請求項１から６のいずれかに記載のシートトレイ。
【請求項８】
上記装置本体の内部に配置されており、上記第１方向に排出されるシートを支持する本体支持面を有する本体トレイを備え、
上記第１トレイは、上記第１支持面の少なくとも一部が上記本体支持面の下方に位置する状態で上記本体支持面と重畳する収納位置、及び当該収納位置よりも上記第１方向に位置しており、上記第１支持面の上記本体支持面に対する重畳面積が当該収納位置よりも小さい突出位置に、上記第１方向に沿って移動可能に上記本体トレイに支持されており、
上記凸部は、上記第３トレイが上記第１回動位置に位置する状態において、上記本体支持面よりも上方へ突出している請求項１から７のいずれかに記載のシートトレイ。
【請求項９】
請求項１から８の何れかに記載のシートトレイと、
上記シートトレイが支持されており、シートが搬送される搬送路を備える上記装置本体と、を備える搬送装置。
【請求項１０】
請求項９に記載の搬送装置と、
上記搬送路を搬送されるシートに画像を記録する記録部と、を備える画像記録装置。
【発明の詳細な説明】
【技術分野】
【０００１】
本発明は、装置本体から排出されるシートを支持するシートトレイに関する。
【背景技術】
【０００２】
プリンタなどの画像記録装置には、当該画像記録装置から排出されるシートを支持するシートトレイが設けられていることが多い。近年、画像記録装置の小型化が求められている一方で、大きなサイズのシートが画像記録装置によって画像記録されることが求められている。この相反する要望を解決可能な装置として、特許文献１には、トレイ本体に回動自在に軸支された第１の補助トレイと、第１の補助トレイに回動自在に軸支された第２の補助トレイとを備えるシートトレイが開示されている。
【０００３】
特許文献１に開示されたシートトレイでは、第２の補助トレイが第１の補助トレイの切り欠きに収納された第１状態のとき、第２の補助トレイの表面が、トレイ本体及び第１の補助トレイと協働してシートを支持する。一方、第２の補助トレイは、第１状態から回動することによって第１の補助トレイから突出された第２状態となる。第２の補助トレイが第２状態のとき、第２の補助トレイの裏面が、トレイ本体及び第１の補助トレイと協働して、第１状態のときよりも大きなサイズのシートを支持可能となる。
【０００４】
第２の補助トレイに、用紙停止手段が設けられている。用紙停止手段が、排出されるシートの先端部と当接してこのシートを停止させる。これにより、シートトレイからのシートの落下が防止されるとともに、シートの排出方向の先端部が揃えられる。特許文献１に開示されたシートトレイでは、第２の補助トレイの表面及び裏面のそれぞれに、用紙停止手段が設けられている。表面に設けられた用紙停止手段は、所定サイズのシートに適合した位置に設けられている。裏面に設けられた用紙停止手段は、所定サイズよりも大きなサイズのシートに適合した位置に設けられている。これにより、表面に設けられた用紙停止手段によって、所定サイズのシートを停止させることができ、且つ裏面に設けられた用紙停止手段によって、所定サイズよりも大きなサイズのシートを停止させることができる。
【先行技術文献】
【特許文献】
【０００５】
【特許文献１】特開平８−１６９６１８号公報
【発明の概要】
【発明が解決しようとする課題】
【０００６】
しかしながら、特許文献１に開示されたシートトレイに向けて、所定サイズよりも大きなサイズのシートよりも更に大きなサイズのシートが排出されてきた場合、このシートは、用紙停止手段によって不適切な位置で停止させられてしまい、それ以上排出方向に移動できなくなる。これにより、このシートは、画像記録装置の内部において詰まるおそれがある。
【０００７】
本発明は、上記問題に鑑みてなされたものであり、その目的は、小サイズのシートを確実に停止させつつ、大サイズのシートが詰まる可能性を低くできるシートトレイを提供することにある。
【課題を解決するための手段】
【０００８】
(1)  本発明に係るシートトレイは、装置本体から第１方向に排出されるシートを支持する第１支持面を有する第１トレイと、シートを支持する第２支持面を有し、当該第２支持面の少なくとも一部が上記第１支持面の下方に位置する状態で上記第１支持面と重畳する第１位置、及び当該第１位置よりも上記第１方向に位置しており、当該第２支持面の上記第１支持面に対する重畳面積が当該第１位置よりも小さい第２位置に、上記第１方向に沿って移動可能に上記第１トレイに支持された第２トレイと、上記第２トレイに回動可能に支持されており、回動先端が回動軸よりも上記第１方向の上流に位置する第１回動位置、及び当該回動先端が当該回動軸よりも上記第１方向の下流に位置しており且つ上記第２トレイから上記第１方向へ突出する第２回動位置に回動する第３トレイと、を備える。上記第３トレイは、上記第１回動位置において上記第２支持面と協働してシートを支持する第３支持面と、当該第３支持面の裏面であり上記第２回動位置において上記第２支持面と協働してシートを支持する第４支持面と、を備える。上記第３支持面には、上記第３トレイが上記第１回動位置に位置する状態において、上記第１支持面よりも上方へ突出した凸部が設けられている。上記第３トレイは、上記第２トレイが上記第１位置に位置する状態において、上記凸部を除く少なくとも一部が上記第１支持面の下方に位置する状態で上記第１支持面と重畳しており、上記第２トレイが上記第２位置に位置する状態において、上記第１支持面と重畳していない。
【０００９】
本構成によれば、第２トレイが第２位置且つ第３トレイが第１回動位置に位置するとき、シートは、第１支持面、第２支持面、及び第３支持面に支持される。このとき、第１方向に排出されるシートは、凸部と当接して停止する。これにより、シートがシートトレイから落下することを防止できる。
【００１０】
第２トレイが第２位置且つ第３トレイが第２回動位置に位置するとき、シートは、第１支持面、第２支持面、及び第４支持面に支持される。ここで、第３トレイが第２回動位置に位置するときの第３トレイの回動先端は、第３トレイが第１回動位置に位置するときの第３トレイの回動先端よりも第１方向の下流に位置する。また、第２回動位置の第３トレイは、第２トレイから第１方向へ突出している。よって、第３トレイが第２回動位置に位置するとき、第３トレイが第１回動位置に位置するときよりも大きなサイズのシートを支持することができる。
【００１１】
ここで、第４支持面には、凸部が設けられていない。よって、第１支持面、第２支持面、及び第４支持面よりも第１方向に長いシートが排出されてきた場合であっても、当該シートが不適切な位置で停止されることはない。これにより、当該シートが装置本体の内部において詰まる可能性を低くすることができる。
【００１２】
(2)  上記凸部は、上記第２トレイを移動させるために把持される把持部を備える。上記把持部は、上記第３トレイが上記第１回動位置に位置する状態において、上記第３トレイの回動軸よりも上方に設けられている。
【００１３】
本構成によれば、把持部が把持されて第１方向に力を付与されることによって、第２トレイは、第１位置から第２位置へ移動される。そして、第２トレイが第２位置に到達したとき、第３トレイは、把持部に付与される第１方向の力によって、第１回動位置から第２回動位置に回動する。つまり、本構成によれば、第２トレイを第１位置から第２位置へ移動させる動作に連動して、第３トレイを第１回動位置から第２回動位置に回動させることができる。
【００１４】
(3)  上記凸部は、外部からアクセス可能な内部空間を有している。上記把持部は、上記内部空間を規定する面である。
【００１５】
本構成によれば、内部空間を規定する面が外部から内部空間にアクセスしたユーザの指などに当接されることによって、当該ユーザの指などが凸部に引っ掛けられた状態とすることができる。これにより、凸部を把持しての第２トレイの移動を容易に行うことができる。
【００１６】
(4)  上記第１方向と直交し且つ上記第４支持面に沿った第２方向において、上記第４支持面の中央部は、上記第４支持面の両端部よりも凹んでいる。
【００１７】
本構成によれば、第４支持面に支持されたシートは、第２方向に沿って湾曲した状態となる。これにより、シートは、第１方向に沿って湾曲し難くなる。その結果、仮に、排出されたシートが第４支持面より第１方向の下流に突出した場合であっても、当該シートがシートトレイから落下する可能性を低くすることができる。
【００１８】
(5)  上記第４支持面は、上記第３トレイが上記第２回動位置に位置する状態おいて、上記第３トレイの上記回動先端が上記第３トレイの回動基端よりも上方となるように上記第２支持面に対して傾斜している。
【００１９】
本構成によれば、第４支持面が傾斜しているため、第１方向に排出されるシートが第４支持面を通過してシートトレイから落下する可能性を低くすることができる。
【００２０】
(6)  上記第２支持面には、第１凹部が形成されている。上記第１回動位置の上記第３トレイは、上記第１凹部に収容される。
【００２１】
本構成によれば、第１回動位置の第３トレイが第１凹部に収容されるため、第３トレイが第１回動位置に位置する状態における第２トレイ及び第３トレイの全体的な厚みを薄くすることができる。また、第３トレイが第１回動位置に位置する状態において、第２支持面及び第３支持面を面一とすることができる。これにより、第２支持面及び第３支持面に沿って第１方向に排出されるシートが、第２支持面及び第３支持面の段差などに引っ掛かることを防止できる。
【００２２】
(7)  上記第１トレイは、上記第１方向の下流端から上記第１方向と逆方向に凹んだ第２凹部を備える。上記凸部は、上記第２トレイが上記第１位置に位置し且つ上記第３トレイが上記第１回動位置に位置する状態において、上記第２凹部に位置する。
【００２３】
本構成によれば、第２トレイが第１位置に位置し且つ第３トレイが第１回動位置に位置する状態において、凸部が第２凹部に位置することによって、シートトレイの第１方向における長さを短くすることができる。
【００２４】
(8)  本発明は、シートトレイと、シートトレイが支持されており、シートが搬送される搬送路を備える上記装置本体と、を備える搬送装置として捉えることもできる。
【００２５】
(9)  本発明は、搬送装置と、搬送路を搬送されるシートに画像を記録する記録部と、を備える画像記録装置として捉えることもできる。
【発明の効果】
【００２６】
本発明のシートトレイによれば、小サイズのシートを確実に停止させつつ、大サイズのシートが詰まる可能性を低くすることができる。
【図面の簡単な説明】
【００２７】
【図１】図１は、複合機１０の斜視図である。
【図２】図２は、プリンタ部１２の内部構造を模式的に示す縦断面図である。
【図３】図３は、第１トレイ８１が本体トレイ８０に収納され、第２トレイ８２が第１トレイ８１に収納され、第３トレイ８３が第１回動位置に位置する状態の排出トレイ２１であり、（Ａ）は斜視図であり、（Ｂ）は図３（Ａ）のＢ−Ｂ断面図である。
【図４】図４は、第１トレイ８１が本体トレイ８０から引き出され、第２トレイ８２が第１トレイ８１に収納され、第３トレイ８３が第１回動位置に位置する状態の排出トレイ２１であり、（Ａ）は斜視図であり、（Ｂ）は図４（Ａ）のＢ−Ｂ断面図である。
【図５】図５は、第１トレイ８１が本体トレイ８０から引き出され、第２トレイ８２が第１トレイ８１から引き出され、第３トレイ８３が第１回動位置に位置する状態の排出トレイ２１であり、（Ａ）は斜視図であり、（Ｂ）は図５（Ａ）のＢ−Ｂ断面図である。
【図６】図６は、第１トレイ８１が本体トレイ８０から引き出され、第２トレイ８２が第１トレイ８１から引き出され、第３トレイ８３が第２回動位置に位置する状態の排出トレイ２１であり、（Ａ）は斜視図であり、（Ｂ）は図６（Ａ）のＢ−Ｂ断面図である。
【図７】図７は、第１トレイ８１を上方から視た斜視図である。
【図８】図８は、第１トレイ８１を下方から視た斜視図である。
【図９】図９は、第２トレイ８２を上方から視た斜視図である。
【図１０】図１０は、第３トレイ８３を下方から視た斜視図である。
【発明を実施するための形態】
【００２８】
以下、本発明の実施形態に係る複合機１０について説明する。なお、以下に説明される実施形態は本発明の一例にすぎず、本発明の要旨を変更しない範囲で、実施形態を適宜変更できることは言うまでもない。以下の説明においては、複合機１０が使用可能に設置された状態（図１の状態）を基準として、上方向４及び下方向５が定義され、開口１３が設けられている面を正面２２（前面）として前方向６及び後方向７が定義され、複合機１０を正面２２から視て右方向８及び左方向９が定義される。上方向４及び下方向５は互いに反対方向である。前方向６及び後方向７は互いに反対方向である。右方向８及び左方向９は互いに反対方向である。上方向４、前方向６、及び右方向８は互いに直交している。
【００２９】
［複合機１０の全体構成］
図１に示されるように、複合機１０は、上部に、原稿に記録された画像を読み取って画像データを取得するスキャナ部１１を備えており、下部に、画像データなどに基づいて、用紙１５（シートの一例、図２参照）に画像を記録するプリンタ部１２（画像記録装置の一例）を備えている。
【００３０】
スキャナ部１１は、所謂フラットベッドスキャナとして構成されているが、ここでは、スキャナ部１１の構成の詳細な説明は省略される。プリンタ部１２は、搬送装置と、用紙１５に画像を記録する記録部２４（図２参照）とを備えている。
【００３１】
搬送装置は、内部に用紙１５が搬送される搬送路２３が形成された筐体１４（装置本体の一例、図１参照）、２段に配置された給送トレイ１９、２０（図１及び図２参照）、給送ローラ２５（図２参照）、搬送ローラ対６３（図２参照）、排出ローラ対６６（図２参照）、及び給送トレイ２０に支持された排出トレイ２１（シートトレイの一例、図１及び図２参照）を備えている。
【００３２】
図１に示されるように、筐体１４は、正面２２に開口１３を有している。給送トレイ２０は、開口１３を通じて筐体１４の内部へ後方向７に挿入可能である。筐体１４に装着された給送トレイ２０（図１に示される状態の給送トレイ２０）は、開口１３を通じて前方向６に脱抜可能である。給送トレイ２０は、各種サイズの用紙１５を収容可能である。
【００３３】
図２に示されるように、給送トレイ２０は、用紙１５が支持される底板７４と、底板７４の左右両端から上向きに立設された一対の側板（不図示）とを備えている。底板７４に支持された用紙１５は、モータ（不図示）から駆動力が伝達されることによって回転する給送ローラ２５によって搬送路２３へ給送される。
【００３４】
なお、本実施形態において、給紙トレイ２０の下方には、給送トレイ１９が配置されている。給送トレイ１９の構成は、給送トレイ２０とほぼ同様である。つまり、給送トレイ１９は、底板及び一対の側板を備えている。また、給送トレイ１９の機能は、給送トレイ２０と同様である。つまり、給送トレイ１９に収容された用紙１５に画像を記録する場合のプリンタ部１１の動作は、給送トレイ２０に収容された用紙１５に画像を記録する場合と同様である。よって、図１以外の図において、給送トレイ１９の図示は省略される。また、以下の記載において、給送トレイ２０について説明される一方で、給送トレイ１９についての説明は省略される。
【００３５】
搬送路２３は、給送トレイ２０の後端部を基点として、下方から上方に延びつつＵターンしてから、前方向６に延びて排出トレイ２１に至る通路である。搬送路２３は、所定間隔を隔てて互いに対向する第１ガイド部材３１及び第２ガイド部材３２によって構成される空間である。用紙１５は、給送トレイ２０から搬送路２３に給送され、搬送路２３を、図２に破線矢印で示される向きである搬送方向１６に搬送される。
【００３６】
搬送ローラ対６３及び排出ローラ対６６は、筐体１４の内部に設けられている。詳細には、搬送ローラ対６３は、搬送路２３における記録部２４よりも搬送方向１６の上流に設けられている。搬送ローラ対６３は、搬送ローラ６１及びピンチローラ６２よりなる。ピンチローラ６２は、ばねなどの弾性部材（不図示）によって搬送ローラ６１のローラ面に圧接されている。排出ローラ対６６は、搬送路２３における記録部２４よりも搬送方向１６の下流に設けられている。排出ローラ対６６は、排出ローラ６４及び拍車６５よりなる。拍車６５は、ばねなどの弾性部材（不図示）によって排出ローラ６４のローラ面に圧接されている。搬送ローラ６１及び排出ローラ６４は、モータ（不図示）から駆動力が伝達されることによって回転され、ピンチローラ６２及び拍車６５との間に用紙１５を挟持しつつ搬送方向１６へ搬送する。
【００３７】
記録部２４は、筐体１４の内部に設けられている。詳細には、記録部２４は、搬送路２３の上方に配置されている。記録部２４は、記録ヘッド３７と、記録ヘッド３７を搭載したキャリッジ３８とを備えている。記録ヘッド３７には、インクカートリッジ（不図示）から供給されたインクを、プラテン６７に向けて吐出するための複数のノズル３６が形成されている。プラテン６７は、搬送路２３を搬送される用紙１５を支持する板状の部材であり、搬送路２３の下方に記録ヘッド３７と対向して配置されている。キャリッジ３８は、筐体１４の内部に配置されたフレームによって右方向８及び左方向９に往復移動可能に支持されている。キャリッジ３８が往復移動されながら、プラテン６７に支持されつつ搬送路２３を搬送される用紙１５に向けてノズル３６からインク滴が吐出される。これにより、用紙１５に画像が記録される。なお、本実施形態において、記録部２４が用紙１５に画像を記録する方式は、インクジェット記録方式であるが、画像を記録する方式はインクジェット記録方式に限らず、例えば電子写真方式などであってもよい。
【００３８】
排出トレイ２１は、給送トレイ２０に支持されており、給送トレイ２０と一体に筐体１４の内部へ挿入可能であり且つ筐体１４から脱抜可能である。ここで、給送トレイ２０は、筐体１４に装着された状態（図１に示される状態）において、筐体１４を構成するフレームに支持されている。つまり、排出トレイ２１は、給送トレイ２０を介して筐体１４に支持されている。なお、排出トレイ２１は、筐体１４に直接支持されていてもよい。
【００３９】
給送トレイ２０に支持された用紙１５は、給送ローラ２５によって搬送路２３へ給送される。搬送路２３へ給送された用紙１５は、搬送ローラ対６３によって記録部２４へ搬送され、記録部２４によって画像を記録される。画像を記録された用紙１５は、排出ローラ対６６によって前方向６に搬送されつつ排出トレイ２１に排出され、排出トレイ２１に支持される。なお、排出トレイ２１については、以下において詳細に説明される。
【００４０】
［排出トレイ２１］
図３〜図６に示されるように、排出トレイ２１は、本体トレイ８０、第１トレイ８１、第２トレイ８２、及び第３トレイ８３を備えている。
【００４１】
本体トレイ８０は、その左右両端部（詳細には後述する一対の側板８９）を、給送トレイ２０の底板７４の左右両端から上向きに立設された一対の側板（不図示）によって支持されている。第１トレイ８１は、本体トレイ８０によって前方向６及び後方向７に移動可能に支持されており、本体トレイ８０から用紙１５の排出方向である前方向６（第１方向の一例）に引き出され且つ後方向７に収納される。第２トレイ８２は、第１トレイ８１によって前方向６及び後方向７に移動可能に支持されており、第１トレイ８１から前方向６に引き出され且つ後方向７に収納される。
【００４２】
第３トレイ８３は、第２トレイ８２によって図５に示される第１回動位置及び図６に示される第２回動位置に回動可能に支持されている。第３トレイ８３は、第１回動位置から矢印５３（図５参照）の方向に回動することによって第２回動位置に至る。また、第３トレイ８３は、第２回動位置から矢印５４（図６参照）の方向に回動することによって第１回動位置に至る。
【００４３】
図４に示されるように、第２トレイ８２が第１トレイ８１に収納された状態で、第１トレイ８１は、第２トレイ８２の上方を覆っている。図３に示されるように、第１トレイ８１が本体トレイ８０に収納され且つ第２トレイ８２が第１トレイ８１に収納された状態で、本体トレイ８０は、第１トレイ８１の上方を覆っており、第１トレイ８１は、第２トレイ８２の上方を覆っている。
【００４４】
排出トレイ２１は、ハガキやＬ版などの小サイズの用紙１５に画像記録が行われる場合に、図３に示される状態で使用される。すなわち、排出トレイ２１は、第２トレイ８２が第１トレイ８１に収納され且つ第１トレイ８１が本体トレイ８０に収納された状態であり、本体トレイ８０における後述する支持板８７の上面８８のみで、筐体１４の内部から前方向６に排出される用紙１５を支持する。
【００４５】
排出トレイ２１は、図３に示される状態で使用されるときよりも大きなサイズ（Ａ４やレターなどのサイズ）の用紙１５に画像記録が行われる場合に、図４に示される状態で使用される。すなわち、排出トレイ２１は、第１トレイ８１が本体トレイ８０から引き出されているが第２トレイ８２が第１トレイ８１に収納された状態であり、上面８８及び第１トレイ８１における後述する支持板９０の上面９１（第１支持面の一例）で、筐体１４の内部から前方向６に排出される用紙１５を支持する。
【００４６】
排出トレイ２１は、図４に示される状態で使用されるときよりも大きなサイズ（Ｂ４やリーガルなどのサイズ）の用紙１５に画像記録が行われる場合に、図５に示される状態で使用される。すなわち、排出トレイ２１は、第１トレイ８１が本体トレイ８０から引き出され、第２トレイ８２が第１トレイ８１から引き出され、且つ第３トレイ８３が第１回動位置に位置する状態であり、上面８８、上面９１、第２トレイ８２における後述する支持板９３の上面９４（第２支持面の一例）、及び第３トレイ８３の表面１２２（第３支持面の一例）で、筐体１４の内部から前方向６に排出される用紙１５を支持する。
【００４７】
排出トレイ２１は、図５に示される状態で使用されるときよりも大きなサイズ（Ａ３やレジャー（Ｌｅｄｇｅｒ）などのサイズ）の用紙１５に画像記録が行われる場合に、図６に示される状態で使用される。すなわち、排出トレイ２１は、第１トレイ８１が本体トレイ８０から引き出され、第２トレイ８２が第１トレイ８１から引き出され、且つ第３トレイ８３が第２回動位置に位置する状態であり、上面８８、上面９１、上面９４、及び第３トレイ８３の裏面１２３（詳細には、裏面１２３に形成された後述する第１リブ１３１及び第２リブ１３２）で、筐体１４の内部から前方向６に排出される用紙１５を支持する。
【００４８】
［第１トレイ８１］
図４、図７、及び図８に示されるように、第１トレイ８１は、厚み方向が上方向４及び下方向５の板状の部材である支持板９０と、支持板９０の左右両端部から下方向５に突設された一対の側部９２とを備えている。支持板９０の上面９１は、前方向６及び後方向７並びに右方向８及び左方向９に拡がっており、複合機１０から排出された用紙１５が支持される。
【００４９】
右方向８及び左方向９における一対の側部９２の外面１０１（右の側部９２の右面及び左の側部９２の左面）には、右方向８及び左方向９に沿って突出し且つ前方向６及び後方向７に沿って延びた一対の外延設部１０２が設けられている。
【００５０】
右方向８及び左方向９における一対の側部９２の内面１０３（右の側部９２の左面及び左の側部９２の右面）には、右方向８及び左方向９に沿って突出し且つ前方向６及び後方向７に沿って延びた一対の内延設部１０４が設けられている。
【００５１】
内面１０３における一対の内延設部１０４の上方には、右方向８及び左方向９に沿って突出した一対の内凸部１０５が設けられている。内凸部１０５は、上方向４及び下方向５において、内延設部１０４と対向している。
【００５２】
支持板９０の下面１０６には、下方向５に突出した第１下凸部１０７及び第２下凸部１０８が設けられている。第１下凸部１０７は、支持板９０の後端部に設けられている。第２下凸部１０８は、支持板９０の前端部に設けられている。第１下凸部１０７の右方向８及び左方向９の位置は、第２下凸部１０８の右方向８及び左方向９の位置と同じである。
【００５３】
第１下凸部１０７は、第１下凸部１０７の前端から後方向７に向かって下方向５に傾斜した傾斜面１０７Ａと、第１下凸部１０７の後端から前方向６に向かって下方向５に傾斜した傾斜面１０７Ｂとを備えている。第２下凸部１０８は、第２下凸部１０８の前端から後方向７に向かって下方向５に傾斜した傾斜面１０８Ａと、第２下凸部１０８の後端から前方向６に向かって下方向５に傾斜した傾斜面１０８Ｂとを備えている。
【００５４】
支持板９０の上面９１には、上方向４に突出した第１上凸部１０９及び第２上凸部１１０が設けられている。第１上凸部１０９及び第２上凸部１１０は、支持板９０の後端部に設けられている。第１上凸部１０９は、第２上凸部１１０よりも後方に設けられている。第１上凸部１０９及び第２上凸部１１０は、前方向６及び後方向７において所定の間隔を空けて対向している。ここで、所定の間隔は、本体トレイ８０の下面（不図示）の前端部及び後端部に設けられた２種類の下凸部（不図示）の前方向６及び後方向７の長さと略同一である。ここで、本体トレイ８０に設けられた２種類の下凸部は、それぞれ第１トレイ８１に設けられた第１下凸部１０７及び第２下凸部１０８に対応するものである。
【００５５】
なお、本実施形態において、下凸部１０７、１０８及び上凸部１０９、１１０は、それぞれ右方向８及び左方向９に間隔を空けて一対設けられているが、一対でなくてもよく、例えばそれぞれ１つずつ設けられていてもよい。
【００５６】
支持板９０には、第１トレイ８１の前端（支持板９０の前板９８の前面１１９）から後方向７に凹む凹部１２０（第２凹部の一例）が形成されている。
【００５７】
［第２トレイ８２］
図５及び図９に示されるように、第２トレイ８２は、厚み方向が上方向４及び下方向５の板状の部材である支持板９３を備えている。支持板９３の上面９４は、前方向６及び後方向７並びに右方向８及び左方向９に拡がっており、複合機１０から排出された用紙１５が支持される。
【００５８】
支持板９３の前面１１５には、右方向８及び左方向９に間隔を空けて配置され、前方向６に突出された一対の突出部１１６が設けられている。突出部１１６には、右方向８及び左方向９に沿って穿たれた孔１１７が形成されている。
【００５９】
支持板９３の上面９４には、凹部１１８（第１凹部の一例）が形成されている。凹部１１８は、前方向６及び後方向７における支持板９３の前端部から中央部に亘り、且つ右方向８及び左方向９において一対の突出部１１６の間の領域に形成されている。
【００６０】
支持板９３の右面（不図示）及び左面１１１には、右方向８及び左方向９に沿って突出し且つ前方向６及び後方向７に沿って延びた一対の外延設部１１２が設けられている。
【００６１】
支持板９３の上面９４には、上方向４に突出した第１上凸部１１３及び第２上凸部１１４が設けられている。第１上凸部１１３及び第２上凸部１１４は、支持板９３の後端部に設けられている。第１上凸部１１３は、第２上凸部１１４よりも後方に設けられている。第１上凸部１１３及び第２上凸部１１４は、前方向６及び後方向７において所定の間隔を空けて配置されている。ここで、所定の間隔は、第１トレイ８１の第１下凸部１０７及び第２下凸部１０８の前方向６及び後方向７の長さと略同一である。
【００６２】
なお、本実施形態において、第１上凸部１１３及び第２上凸部１１４は、それぞれ右方向８及び左方向９に間隔を空けて一対設けられているが、一対でなくてもよく、例えばそれぞれ１つずつ設けられていてもよい。
【００６３】
本実施形態において、第２トレイ８２が第１トレイ８１によって前方向６及び後方向７に移動可能に支持される構成は、以下のようなものである。
【００６４】
第２トレイ８２の一対の外延設部１１２の各々は、第１トレイ８１の一対の内延設部１０４の各々に支持されつつ、第１トレイ８１の一対の内凸部１０５の各々に上方から当接される。これにより、外延設部１１２が内延設部１０４及び内凸部１０５に挟まれた状態となるため、第２トレイ８２は第１トレイ８１によって前方向６及び後方向７に移動可能に支持される。
【００６５】
第２トレイ８２は、図４に示されており第１トレイ８１に収納された第１位置、及び図５に示されており第１トレイ８１から引き出された第２位置の間を、前方向６及び後方向７に移動可能である。第２位置の第２トレイ８２は、第１位置の第１トレイ８１よりも前方に位置する。
【００６６】
図４に示されるように、第２トレイ８２が第１位置に位置するとき、第２トレイ８２の全てが、第１トレイ８１の上面９１の下方に位置する状態で上面９１と重畳している。つまり、第２トレイ８２の全てが、第１トレイ８１によって覆われている。第２トレイ８２が第１位置に位置するとき、第１トレイ８１の第１下凸部１０７（図８参照）が、第２トレイ８２の第１上凸部１１３及び第２上凸部１１４（図９参照）の間に位置している。これにより、第１位置の第２トレイ８２の前方向６及び後方向７への移動が、第１下凸部１０７によって規制されている。なお、第１位置の第２トレイ８２の一部のみが、第１トレイ８１の上面９１の下方に位置していてもよい。
【００６７】
図５に示されるように、第２トレイ８２が第２位置に位置するとき、第２トレイ８２の後端部のみが、第１トレイ８１の上面９１の下方に位置する状態で上面９１と重畳している。つまり、第２トレイ８２の後端部のみが、第１トレイ８１によって覆われている。すなわち、第２トレイ８２が第２位置に位置するときの上面９４の上面９１に対する重畳面積は、第２トレイ８２が第１位置に位置するときの当該重畳面積よりも小さい。第２トレイ８２が第２位置に位置するとき、第１トレイ８１の第２下凸部１０８（図８参照）が、第２トレイ８２の第１上凸部１１３及び第２上凸部１１４（図９参照）の間に位置している。これにより、第２位置の第１トレイ８１の前方向６及び後方向７への移動が、第２下凸部１０８によって規制されている。
【００６８】
第１位置の第２トレイ８２に対して前方向６への力が付与されると、第１上凸部１１３が後方から第１下凸部１０７の傾斜面１０７Ｂに当接して押圧する。これにより、第１トレイ８１における第１上凸部１１３に当接された部分及びその周辺部が上方向４に撓む。その結果、第１上凸部１１３が第１下凸部１０７を通過し、第２トレイ８２は第１トレイ８１に対して前方向６へ移動する。第２トレイ８２が第１位置から所定距離だけ前方向６へ移動すると、第２上凸部１１４が後方から第２下凸部１０８の傾斜面１０８Ｂに当接して押圧する。これにより、第１トレイ８１における第２上凸部１１４に当接された部分及びその周辺部が上方向４に撓む。その結果、第２上凸部１１４が第２下凸部１０８を通過し、第２下凸部１０８が第１上凸部１１３及び第２上凸部１１４の間に位置する。つまり、第２トレイ８２が第２位置に到達する。
【００６９】
第２位置の第２トレイ８２に対して後方向７への力が付与されると、第２上凸部１１４が前方から第２下凸部１０８の傾斜面１０８Ａに当接して押圧する。これにより、第１トレイ８１における第２上凸部１１４に当接された部分及びその周辺部が上方向４に撓む。その結果、第２上凸部１１４が第２下凸部１０８を通過し、第２トレイ８２は第１トレイ８１に対して後方向７へ移動する。第２トレイ８２が第２位置から所定距離だけ後方向７へ移動すると、第１上凸部１１３が前方から第１下凸部１０７の傾斜面１０７Ａに当接して押圧する。これにより、第１トレイ８１における第１上凸部１１３に当接された部分及びその周辺部が上方向４に撓む。その結果、第１上凸部１１３が第１下凸部１０７を通過し、第１下凸部１０７が第１上凸部１１３及び第２上凸部１１４の間に位置する。つまり、第２トレイ８２が第１位置に到達する。
【００７０】
［本体トレイ８０］
図３〜図６に示されるように、本体トレイ８０は、厚み方向が上方向４及び下方向５の板状の部材である支持板８７と、支持板８７の左右両端部から下方向５に突設された一対の側板８９とを備えている。支持板８７の上面８８は、前方向６及び後方向７並びに右方向８及び左方向９に拡がっており、複合機１０から排出された用紙１５が支持される。
【００７１】
本体トレイ８０の構成は、第１トレイ８１と概ね同様である。つまり、本体トレイ８０は、第１トレイ８１の内延設部１０４と同構成の内延設部（不図示）、第１トレイ８１の内凸部１０５と同構成の内凸部（不図示）、及び第１トレイ８１の第１下凸部１０７及び第２下凸部１０８と同構成の２種類の下凸部（不図示）を備えている。また、支持板８７には、本体トレイ８０の前端から後方向７に凹む凹部１２１が形成されている。
【００７２】
本実施形態において、本体トレイ８０が第１トレイ８１を前方向６及び後方向７に移動可能に支持する構成は、第１トレイ８１が第２トレイ８２を前方向６及び後方向７に移動可能に支持される構成と同様であるため、詳細な説明は省略される。つまり、第１トレイ８１の一対の外延設部１０２は、本体トレイ８０の内延設部に支持されつつ、本体トレイ８０の内凸部に上方から当接される。また、本体トレイ８０の２種類の下凸部のうち、支持板８７の後端部に設けられた下凸部は、本体トレイ８０に収納された状態の第１トレイ８１の移動を規制している。また、本体トレイ８０の２種類の下凸部のうち、支持板８７の前端部に設けられた下凸部は、本体トレイ８０から引き出された状態の第１トレイ８１の移動を規制している。
【００７３】
［第３トレイ８３］
図５、図６、及び図１０に示されるように、第３トレイ８３は、板状の部材である。第３トレイ８３は、表面１２２と、表面１２２の反対の面である裏面１２３とを備える。
【００７４】
表面１２２には、凸部１２４が設けられている。第３トレイ８３は、凸部１２４が右方向８及び左方向９に延設された状態で、第２トレイ８２に支持される。表面１２２及び裏面１２３は、図１０に示されるように、右方向８及び左方向９、並びに右方向８に直交する第１直交方向１５１及び第２直交方向１５２に拡がる面である。第１直交方向１５１及び第２直交方向１５２は、互いに反対方向である。右方向８及び左方向９は、第２方向の一例である。
【００７５】
凸部１２４は、表面１２２における第１直交方向１５１の端部から、右方向８及び第１直交方向１５１に直交する表突出方向１５３に突出している。凸部１２４は、内部空間１２５を有する。内部空間１２５は、天面１２６、右内面１２７、左内面１２８、第１側面１２９、及び第２側面１３０によって規定されている。天面１２６、右内面１２７、左内面１２８、第１側面１２９、及び第２側面１３０は、把持部の一例である。
【００７６】
天面１２６は、凸部１２４の突出先端において表突出方向１５３と逆方向である裏突出方向１５４を向く面である。右内面１２７及び左内面１２８は、天面１２６から裏突出方向１５４に延びており、右方向８及び左方向９において互いに対向している。右内面１２７は左方向９を向く面である。左内面１２８は右方向８を向く面である。第１側面１２９及び第２側面１３０は、天面１２６から裏突出方向１５４に延びており、第１直交方向１５１及び第２直交方向１５２において対向している。第１側面１２９は、第２直交方向１５２を向く面である。第２側面１３０は、第１直交方向１５１を向く面である。
【００７７】
内部空間１２５における裏突出方向１５４の端部は、開放されている。つまり、内部空間１２５は、当該端部からアクセス可能である。ここで、アクセスとは、ユーザなどが、当該端部を通じて内部空間１２５に指などを挿入可能であることである。なお、内部空間１２５は、当該端部以外の箇所が開放されていてもよい。例えば、内部空間１２５は、当該端部が塞がれている一方で、第２側面１３０を有さないことで第２直交方向１５２の端部が開放されていてもよい。
【００７８】
裏面１２３には、第１リブ１３１及び第２リブ１３２が形成されている。第１リブ１３１及び第２リブ１３２は、裏突出方向１５４に突出し、且つ第１直交方向１５１及び第２直交方向１５２に延設されている。第１リブ１３１は、裏面１２３の右端部及び左端部に形成されている。第２リブ１３２は、裏面１２３の右端部及び左端部の間において右方向８及び左方向９に間隔を空けて３つ設けられている。なお、第２リブ１３２の数は、３つに限らない。第１リブ１３１の裏突出方向１５４への突出長は、第２リブ１３２の裏突出方向１５４への突出長よりも長い。
【００７９】
右内面１２７及び左内面１２８には、右方向８及び左方向９に沿って突出した一対の突起１３３（回動軸の一例）が形成されている。各突起１３３は、第２トレイ８２の一対の突出部１１６に形成された孔１１７（図９参照）に挿入される。これにより、第３トレイ８３は、突起１３３を中心として、図５に示される第１回動位置及び図６に示される第２回動位置に回動するように、第２トレイ８２によって支持されている。
【００８０】
図５に示されるように、第３トレイ８３が第１回動位置に位置するとき、第３トレイ８３の凸部１２４以外の部分は、第２トレイ８２の凹部１１８（図６及び図９参照）に収容されており、凹部１１８の底面１１８Ａ（図９参照）によって支持されている。このとき、第３トレイ８３の表面１２２と、第２トレイ８２の支持板９３の上面９４とは、概ね平行である。本実施形態では、表面１２２と上面９４とは面一である。つまり、第１直交方向１５１と前方向６とが一致し、第２直交方向１５２と後方向７とが一致し、表突出方向１５３と上方向４とが一致し、裏突出方向１５４と下方向５とが一致する。また、このとき、第３トレイ８３の回動先端１３４が突起１３３よりも後方に位置する。以上より、第１トレイ８１が本体トレイ８０から引き出され、第２トレイ８２が第１トレイ８１から引き出され、且つ第３トレイ８３が第１回動位置に位置する状態のとき、表面１２２は、上面８８、上面９１、及び上面９４と協働して、筐体１４の内部から前方向６に排出される用紙１５を支持する。一方、下方を向く裏面１２３は、用紙１５を支持しない。
【００８１】
また、第３トレイ８３が第１回動位置に位置するとき、凸部１２４の突出先端は、上面８８、上面９１、及び上面９４の何れよりも上方に位置する。これにより、筐体１４の内部から前方向６に排出される用紙１５は、凸部１２４と当接して停止される。
【００８２】
図６に示されるように、第３トレイ８３が第２回動位置に位置するとき、第３トレイ８３は、第２トレイ８２の前端から前方向６且つ上方向４に向かうように斜めに突出する。このとき、裏面１２３が上方を向いており、表面１２２が下方を向いている。また、このとき、第３トレイ８３の回動先端１３４は、突起１３３よりも前方に位置する。以上より、第１トレイ８１が本体トレイ８０から引き出され、第２トレイ８２が第１トレイ８１から引き出され、且つ第３トレイ８３が第２回動位置に位置する状態のとき、裏面１２３の第１リブ１３１及び第２リブ１３２は、上面８８、上面９１、及び上面９４と協働して、筐体１４の内部から前方向６に排出される用紙１５を支持する。つまり、第１リブ１３１及び第２リブ１３２の突出端面を通る仮想面が、第４支持面の一例である。
【００８３】
ここで、第２リブ１３２は第１リブ１３１よりも突出長が短いため、上記仮想面の右方向８及び左方向９の中央部は、右方向８及び左方向９の両端部よりも凹んでいる。よって、第１リブ１３１及び第２リブ１３２によって支持されている用紙１５は、右方向８及び左方向９に沿って、右方向８及び左方向９の中央部が両端部よりも凹むように湾曲する。
【００８４】
また、上述したように、第３トレイ８３が第２回動位置に位置するとき、第３トレイ８３は、第２トレイ８２の前端から前方向６且つ上方向４に向かうように斜めに突出する。つまり、上記仮想面は、第３トレイ８３が第２回動位置に位置する状態において、第３トレイ８３の回動先端１３４が回動基端１３５よりも上方となるように、第２トレイ８２の上面９４に対して傾斜している。
【００８５】
また、第３トレイ８３が第２回動位置に位置するとき、凸部１２４は、下方を向いている表面１２２から下方に突出している。これにより、筐体１４の内部から前方向６に排出される用紙１５が凸部１２４と当接することはない。
【００８６】
なお、第２回動位置の第３トレイ８３は、凸部１２４に形成された当接面１２４Ａ（図１０参照）が第２トレイ８２の突出部１１６の下端部１１６Ａ（図９参照）と当接することによって、第２回動位置からの矢印５３（図５（Ｂ）参照）の方向への更なる回動を規制されている。
【００８７】
第２トレイ８２が第１位置に位置し、且つ第３トレイ８３が第１回動位置に位置するとき、第３トレイ８３の凸部１２４を除く全てが、第１トレイ８１の上面９１の下方に位置する状態で上面９１と重畳している。つまり、第３トレイ８３の凸部１２４を除く全てが、第１トレイ８１によって覆われている。よって、第３トレイ８３は、第１回動位置から第２回動位置へ回動できない。一方、凸部１２４は、第１トレイ８１の凹部１２０に位置している。なお、第１回動位置の第３トレイ８３の凸部１２４を除く部分の一部のみが、第１トレイ８１の上面９１の下方に位置していてもよい。
【００８８】
第２トレイ８２が第２位置に位置するとき、第３トレイ８３は、第１トレイ８１の上面９１と重畳していない。よって、第３トレイ８３は、第１回動位置及び第２回動位置の間で回動可能である。
【００８９】
［引き出し動作］
以下、図３〜図６を参照しつつ、複合機１０のユーザが、第３トレイ８３の凸部１２４を把持して、本体トレイ８０から第１トレイ８１及び第２トレイ８２を引き出し、第３トレイ８３を第１回動位置から第２回動位置に回動させる動作が説明される。
【００９０】
図３に示される状態では、各トレイ８１、８２、８３は、本体トレイ８０に収納されている。第１トレイ８１の凹部１２０と本体トレイ８０の凹部１２１とは、平面視で同位置である。つまり、凹部１２０及び凹部１２１は、一つの凹部を構成している。そして、第３トレイ８３の凸部１２４は、凹部１２０及び凹部１２１によって構成された一つの凹部に位置している。
【００９１】
図３に示される状態において、ユーザが、凸部１２４の下方から指を内部空間１２５に挿入して、指を第１側面１２９に押しつけると、凸部１２４が前方向６に引っ張られる。つまり、第１側面１２９とユーザの指とが係合した状態で、凸部１２４が前方向６に引っ張られる。これにより、各トレイ８１、８２、８３に対して、前方向６への力が作用され、各トレイ８１、８２、８３が本体トレイ８０に対して前方向６へ移動される。以上より、凸部１２４の内部空間１２５を規定する面（本例では第１側面１２９）は、各トレイ８１、８２、８３を移動させるために把持される。
【００９２】
ここで、第１トレイ８１の本体トレイ８０に対する前方向６及び後方向７への移動は、第１トレイ８１の上凸部１０９、１１０（図７参照）が本体トレイ８０の支持板８７の後端部に設けられた下凸部（不図示）と係合することによって規制されている。また、第２トレイ８２の第１トレイ８１に対する前方向６及び後方向７への移動は、第２トレイ８２の上凸部１１３、１１４（図９参照）が第１トレイ８１の第１下凸部１０７（図８参照）と係合することによって規制されている。そして、第１トレイ８１の本体トレイ８０に対する移動の規制力は、第２トレイ８２の第１トレイ８１に対する移動の規制力よりも小さい。なお、２つの規制力の大小は、例えば、本体トレイ８０の下凸部と第１トレイ８１の下凸部１０７、１０８との傾斜角度を異なるものとすることで実現される。以上より、図３に示される状態において、凸部１２４が前方向６に引っ張られると、第１トレイ８１、第２トレイ８２、及び第３トレイ８３が一体に前方向６に移動し、図４に示される状態となる。
【００９３】
図４に示される状態において、凸部１２４が前方向６に引っ張られると、第２トレイ８２が第１トレイ８１に対して前方向６へ移動される。なお、図４に示される状態において、第１トレイ８１の前方向６への移動は、第１トレイ８１の上面９１に形成された一対の凸部９５（図７参照）が本体トレイ８０の支持板８７の前端から下方へ突出された前板９６（図４参照）に後方から当接することによって規制されている。以上より、図４に示される状態において、凸部１２４が前方向６に引っ張られると、第２トレイ８２及び第３トレイ８３が一体に前方向６に移動し、図５に示される状態となる。
【００９４】
ここで、凸部１２４におけるユーザに把持される部分（本実施形態では第１側面１２９）は、第３トレイ８３が第１回動位置に位置する状態において、第３トレイ８３の突起１３３よりも前方且つ上方に位置する。これにより、図５に示される状態において、第１側面１２９に前方向６の力が付与されると、第３トレイ８３は、矢印５３の方向に回動する。つまり、第３トレイ８３は、第１回動位置から第２回動位置へ回動し、図６に示される状態となる。なお、図５に示される状態において、第２トレイ８２の前方向６への移動は、第２トレイ８２の上面９４に形成された一対の凸部９７（図９参照）が第１トレイ８１の支持板９０の前端から下方へ突出された前板９８（図５参照）に後方から当接することによって規制されている。
【００９５】
［実施形態の効果］
本実施形態によれば、第２トレイ８２が第２位置且つ第３トレイ８３が第１回動位置に位置するとき、用紙１５は、上面８８、上面９１、上面９４、及び表面１２２に支持される。このとき、前方向６に排出される用紙１５は、凸部１２４と当接して停止する。これにより、用紙１５が排出トレイ２１から落下することを防止できる。
【００９６】
第２トレイ８２が第２位置且つ第３トレイ８３が第２回動位置に位置するとき、用紙１５は、上面８８、上面９１、上面９４、及び裏面１２３に支持される。ここで、第３トレイ８３が第２回動位置に位置するときの第３トレイ８３の回動先端１３４は、第３トレイ８３が第１回動位置に位置するときの第３トレイ８３の回動先端１３４よりも第１方向の下流に位置する。また、第２回動位置の第３トレイ８３は、第２トレイ８２から前方向６へ突出している。よって、第３トレイ８３が第２回動位置に位置するとき、第３トレイ８３が第１回動位置に位置するときよりも大きなサイズの用紙１５を支持することができる。
【００９７】
ここで、裏面１２３には、凸部１２４が設けられていない。よって、上面８８、上面９１、上面９４、及び裏面１２３よりも前方向６及び後方向７に長い用紙１５が排出されてきた場合であっても、当該用紙１５が不適切な位置で停止されることはない。これにより、当該用紙１５が筐体１４の内部において詰まる可能性を低くすることができる。
【００９８】
また、本実施形態によれば、凸部１２４の上部が把持されて前方向６に力を付与されることによって、第２トレイ８２は、第１位置から第２位置へ移動される。そして、第２トレイ８２が第２位置に到達したとき、第３トレイ８３は、凸部１２４の上部に付与される前方向６の力によって、第１回動位置から第２回動位置に回動する。つまり、本実施形態によれば、第２トレイ８２を第１位置から第２位置へ移動させる動作に連動して、第３トレイ８３を第１回動位置から第２回動位置に回動させることができる。
【００９９】
また、本実施形態によれば、内部空間１２５を規定する第１側面１２９が外部から内部空間１２５にアクセスしたユーザの指などに当接されることによって、当該ユーザの指などが凸部１２４に引っ掛けられた状態とすることができる。これにより、凸部１２４を把持しての第２トレイ８２の移動を容易に行うことができる。
【０１００】
また、本実施形態によれば、第１リブ１３１及び第２リブ１３２に支持された用紙１５は、右方向８及び左方向９に沿って湾曲した状態となる。これにより、用紙１５は、前方向６に沿って湾曲し難くなる。その結果、仮に、排出された用紙１５が第１リブ１３１及び第２リブ１３２より前方向６に突出した場合であっても、当該用紙１５が排出トレイ２１から落下する可能性を低くすることができる。
【０１０１】
また、本実施形態によれば、裏面１２３が傾斜しているため、前方向６に排出される用紙１５が裏面１２３を通過して排出トレイ２１から落下する可能性を低くできる。
【０１０２】
また、本実施形態によれば、第１回動位置の第３トレイ８３が凹部１１８に収容されるため、第３トレイ８３が第１回動位置に位置する状態における第２トレイ８２及び第３トレイ８３の全体的な厚みを薄くすることができる。また、第３トレイ８３が第１回動位置に位置する状態において、上面９４及び表面１２２を面一とすることができる。これにより、上面９４及び表面１２２に沿って前方向６に排出される用紙１５が、上面９４及び表面１２２の段差などに引っ掛かることを防止できる。
【０１０３】
また、本実施形態によれば、第２トレイ８２が第１位置に位置し且つ第３トレイ８３が第１回動位置に位置する状態において、凸部１２４が凹部１２０に位置することによって、排出トレイ２１の前方向６における長さを短くすることができる。
【０１０４】
［変形例］
上記実施形態では、第２トレイ８２の支持板９３の上面９４に凹部１１８が形成されており、第１回動位置の第３トレイ８３は凹部１１８に収容されていた。しかし、第１回動位置の第３トレイ８３が収容されるのは、凹部１１８に限らない。例えば、支持板９３には、凹部１１８の代わりに開口や切り欠きが形成されており、第１回動位置の第３トレイ８３は、当該開口や切り欠きに収容されてもよい。この場合、当該開口や切り欠きには、第１回動位置の第３トレイ８３を支持する支持部（例えば、当該開口や切り欠きを規定する側面から突出された突起）が設けられる。また、支持板９３に凹部１１８、開口、切り欠きなどが形成されていなくてもよい。この場合、第１回動位置の第３トレイ８３は、支持板９３の上面９４に支持される。
【０１０５】
また、第３トレイ８３の裏面１２３に、第１リブ１３１及び第２リブ１３２が形成されていなくてもよい。この場合、裏面１２３が用紙１５を支持する。つまり、裏面１２３が第４支持面の一例である。また、この場合、裏面１２３は、平面であってもよいし、右方向８及び左方向９において中央部が凹むように湾曲していてもよい。
【０１０６】
また、上記実施形態では、トレイは、２段に引き出される構成であった。具体的には、第１トレイ８１が本体トレイ８０に対して引き出され、第２トレイ８２が第１トレイ８１に対して引き出される構成であった。しかし、トレイが引き出される段数は、２段以外であってもよい。この場合、排出トレイ２１が備えるトレイ数は、トレイが引き出される段数に応じて増減する。
【０１０７】
また、上記実施形態では、プリンタ部１２において画像を記録された用紙が排出される排出トレイ２１が本発明のシートトレイの一例として説明されたが、本発明のシートトレイは排出トレイ２１に限らない。例えば、本発明のシートトレイは、スキャナ部１１において画像を読み取られた用紙が排出されるトレイであってもよい。以上より、本発明のシートトレイを備える搬送装置は、プリンタ部１２以外（例えばスキャナ部１１）に設けられていてもよい。
【符号の説明】
【０１０８】
１０・・・複合機
１２・・・プリンタ部（画像記録装置）
１４・・・筐体（装置本体）
１５・・・用紙（シート）
２１・・・排出トレイ（シートトレイ）
８１・・・第１トレイ
８２・・・第２トレイ
８３・・・第３トレイ
９１・・・上面（第１支持面）
９４・・・上面（第２支持面）
１２２・・・表面（第３支持面）
１２３・・・裏面（第４支持面）
１２４・・・凸部
１３４・・・回動先端
【図１】
0006617438.tif 000002
【図２】
0006617438.tif 000003
【図３】
0006617438.tif 000004
【図４】
0006617438.tif 000005
【図５】
0006617438.tif 000006
【図６】
0006617438.tif 000007
【図７】
0006617438.tif 000008
【図８】
0006617438.tif 000009
【図９】
0006617438.tif 000010
【図１０】
0006617438.tif 000011